(57)【要約】【課題】複数のアンテナを必要とする携帯装置等の通信機器に関し、アンテナの装着に応じてアプリケーションの起動を簡略化し、利便性を高めることにある。【解決手段】通信機器（携帯装置２）にあるアンテナコネクタ（１８１、１８２、アンテナコネクタ部１８）にアンテナ（４１、４２、アンテナ装置４０、アンテナＡ４１１、Ｂ４１２、Ｃ４１３）を着脱させると、その着脱が検出手段（通信制御部１６、アンテナ状態検出部２６）に検出されると、制御手段（制御部６）がアプリケーションを動作させ、又は検出されたアンテナに対応するアプリケーションを動作させるので、アンテナの着脱を契機としてアプリケーションの動作又はその動作停止を行え、通信機器の利便性が高められる。【選択図】図１
2009246470.tif 000002
【特許請求の範囲】
【請求項１】
アンテナを着脱させるアンテナコネクタと、
前記アンテナコネクタに対するアンテナの着脱を検出する検出手段と、
前記検出手段がアンテナの装着を検出したことを契機にアプリケーションを動作させる制御手段と、
を備えることを特徴とする通信機器。
【請求項２】
請求項１の通信機器において、
前記検出手段は、前記アンテナコネクタに装着されたアンテナの種類を検出し、前記制御手段は、前記検出手段が検出したアンテナに応じたアプリケーションを動作させることを特徴とする通信機器。
【請求項３】
請求項１又は２の通信機器において、
送信周波数又は受信周波数の異なる複数のアンテナを備え、これらのアンテナから選択されるアンテナが前記アンテナコネクタに装着可能なことを特徴とする通信機器。
【請求項４】
通信機器で実行される制御方法であって、
前記通信機器が有するアンテナコネクタに対するアンテナの着脱を検出するステップと、
前記アンテナコネクタにアンテナが装着されている場合、アプリケーションを動作させるステップと、
を含むことを特徴とする、通信機器の制御方法。
【請求項５】
コンピュータで実行される、通信機器の制御プログラムであって、
前記通信機器が有するアンテナコネクタに対するアンテナの着脱を検出するステップと、
前記アンテナコネクタにアンテナが装着されている場合、装着情報を取り込むことにより、アプリケーションを動作させるステップと、
を前記コンピュータに実行させるための通信機器の制御プログラム。
【発明の詳細な説明】
【技術分野】
【０００１】
本発明は、複数の無線周波数に対応するアンテナを用いる携帯装置等の通信機器に関し、特に、アンテナの切替えによって異なるアプリケーションを動作させる通信機器、その制御方法及び制御プログラムに関する。
【背景技術】
【０００２】
通信機器として例えば、携帯装置には無線通信に用いるアンテナが設置され、このアンテナは筐体に内蔵される内蔵アンテナか、又はロッドアンテナ式等の筐体外に取り付けられる外部アンテナとして装備されている。異なる複数の無線周波数に対応するには複数のアンテナを備え、無線周波数に応じてアンテナを切り替えることが必要である。
【０００３】
このような携帯装置のアンテナ切替えに関し、特許文献１には、衛星通信用アンテナ装置にスイッチを備え、衛星通信用アンテナと地上波通信用アンテナとの切替えを、衛星通信用アンテナ装置にあるスイッチのオンオフにより行うことが開示されている。
【特許文献１】特開２００１−４４８７８公報
【発明の開示】
【発明が解決しようとする課題】
【０００４】
ところで、携帯装置等の通信機器では、外観デザインを重視する傾向から、筐体内にアンテナを内蔵する内蔵方式が採用されているが、アンテナを筐体に内蔵すると、そのアンテナの設置により筐体内スペースが圧迫され、携帯装置の小型化が妨げられ、また、複数のアンテナを設置した場合には、無線通信に応じたアンテナの選択と、選択されたアンテナに対応するアプリケーションの切替えが必要である。
【０００５】
また、アンテナの着脱に対応するアプリケーションの切替え操作は面倒である。
【０００６】
斯かる要求や課題について、特許文献１にはその開示や示唆はなく、それを解決する構成等についての開示や示唆はない。
【０００７】
そこで、本発明の目的は、複数のアンテナを必要とする通信機器に関し、アンテナの装着に応じてアプリケーションの起動を簡略化し、利便性を高めることにある。
【課題を解決するための手段】
【０００８】
上記目的を達成するため、本発明は、携帯装置等の通信機器にあるアンテナコネクタにアンテナを着脱させ、その着脱が検出手段に検出されると、制御手段がアプリケーションを動作させ、そのアンテナに対応するアプリケーションを動作させるので、アンテナの着脱を契機としてアプリケーションの動作又はその動作停止を行え、通信機器の利便性が高められる。
【０００９】
上記目的を達成するため、この通信機器は、アンテナを着脱させるアンテナコネクタと、前記アンテナコネクタに対するアンテナの着脱を検出する検出手段と、前記検出手段がアンテナの装着を検出したことを契機にアプリケーションを動作させる制御手段とを備えることである。
【００１０】
斯かる構成によれば、アンテナの着脱が検出され、その検出に基づいてそのアンテナに対応するアプリケーションの起動や、その起動停止を行うことができ、アプリケーションの起動や停止を簡略化でき、通信機器の利便性が高められる。
【００１１】
上記目的を達成するためには、上記通信機器において、好ましくは、前記検出手段は、前記アンテナコネクタに装着されたアンテナの種類を検出し、前記制御手段は、前記検出手段が検出したアンテナに応じたアプリケーションを動作させる構成としてもよく、また、送信周波数又は受信周波数の異なる複数のアンテナを備え、これらのアンテナから選択されるアンテナが前記アンテナコネクタに装着可能な構成としてもよい。斯かる構成によれば、アンテナの種類に応じてアプリケーションを起動させ、切り替えることができ、上記目的が達成される。
【００１２】
上記目的を達成するため、この通信機器の制御方法は、通信機器で実行される制御方法であって、前記通信機器が有するアンテナコネクタに対するアンテナの着脱を検出するステップと、前記アンテナコネクタにアンテナが装着されている場合、アプリケーションを動作させるステップとを含むことである。斯かる構成により、上記目的が達成される。
【００１３】
上記目的を達成するため、この通信機器の制御プログラムは、コンピュータで実行される、通信機器の制御プログラムであって、前記通信機器が有するアンテナコネクタに対するアンテナの着脱を検出するステップと、前記アンテナコネクタにアンテナが装着されている場合、装着情報を取り込むことにより、アプリケーションを動作させるステップとを前記コンピュータに実行させることである。斯かる構成によっても、上記目的が達成される。
【発明の効果】
【００１４】
本発明によれば、次のような効果が得られる。
【００１５】
(1) アンテナの着脱に応じてそのアンテナに対応するアプリケーションを動作させることができ、アプリケーションの切替え操作が不要であり、通信機器の利便性を高めることができる。
【００１６】
(2) アンテナを装着させると、そのアンテナの種類を検出し、そのアンテナの種類に応じたアプリケーションを動作させることができ、アプリケーションの切替え操作が不要であり、通信機器の利便性を高めることができる。
【００１７】
そして、本発明の他の目的、特徴及び利点は、添付図面及び各実施の形態を参照することにより、一層明確になるであろう。
【発明を実施するための最良の形態】
【００１８】
〔第１の実施の形態〕
【００１９】
第１の実施の形態について、図１及び図２を参照する。図１は、第１の実施の形態に係る携帯装置及びアンテナを示す図、図２は、記憶部の構成を示す図である。図１及び図２に示す構成は一例であって、斯かる構成に本発明が限定されるものではない。
【００２０】
この携帯装置２は、通信機器の一例であって、アンテナ４をアンテナコネクタ部１８に着脱させる形態である。携帯装置２は、アンテナを着脱してアプリケーションを起動させるコンピュータを内蔵した通信機器の一例であって、図１に示すように、制御部６、記憶部８、操作部１０、表示制御部１２、表示部１４、通信制御部１６、アンテナコネクタ部１８を備えている。
【００２１】
制御部６は、記憶部８にあるＯＳ（Operating System）やアプリケーションプログラム、アンテナ着脱に対応するアプリケーションの起動制御サブルーティン等の各種のプログラムを動作させる処理手段であるとともに、各種機能部を制御する制御手段の一例であって、例えば、ＣＰＵ（Central Processing Unit ）等で構成される。
【００２２】
記憶部８は、ＯＳやアプリケーションプログラム、制御データ等を格納する記憶手段の一例であって、図２に示すように、プログラム記憶部８１、データ記憶部８２を備えている。プログラム記憶部８１には、ＯＳ、アプリケーションプログラム、アンテナ着脱制御サブルーティン等が格納され、データ記憶部８２には、アンテナ４に対応する通信制御部１６を表す通信制御データ、アンテナコネクタ部１８に対応するデータ等、各種データが格納されている。
【００２３】
操作部１０は制御データを操作によって入力する操作手段の一例であって、例えば、キーボードで構成され、利用者の操作を受け付け、その操作内容が制御部６に取り込まれる。
【００２４】
表示制御部１２は、制御部６の制御を受け、表示部１４を制御する表示制御手段である。表示部１４は情報を例えば、視覚的に表示する表示手段の一例であって、例えば、ＬＣＤ（Liquid Crystal Display）表示器で構成され、表示制御部１２によって画面表示が制御される。
【００２５】
通信制御部１６は、アンテナコネクタ部１８に装着されるアンテナの装着を検知する検知手段であるとともに、装着されたアンテナに対応した通信制御を行う通信制御手段の一例であって、アンテナ４の装着を検知し、例えば、ＴＶアプリケーションを起動する。
【００２６】
アンテナコネクタ部１８は、アンテナ４等、複数のアンテナから選択されたアンテナを装着し、接続する装着手段である。
【００２７】
また、アンテナ４はアンテナエレメント部４０１、コネクタ部４０２を備えた着脱式のアンテナであって、アンテナエレメント部４０１は無線通信電波を送受信する例えば、ＴＶ受信用のエレメントであり、コネクタ部４０２は携帯装置２側のアンテナコネクタ部１８に着脱可能である。この場合、アンテナ４は一例としてＴＶ受信用アンテナである。
【００２８】
アンテナの着脱について、図３を参照する。図３は、アンテナが着脱される携帯装置を示す図である。図３に示す構成は一例であって、斯かる構成に本発明が限定されるものではない。図３において、図１と同一部分には同一符号を付してある。
【００２９】
携帯装置２は、図３Ａに示すように、筐体２０の前面側に操作部１０、表示部１４を備えるとともに、筐体２０の頂部にアンテナコネクタ部１８が設置されている。アンテナコネクタ部１８にはアンテナ４が着脱され、図３Ａは、アンテナ４を外した状態であり、図３Ｂは、アンテナコネクタ部１８にアンテナ４が装着された状態である。このアンテナ４が装着されると、アンテナコネクタ部１８に装着されたアンテナ４を通信制御部１６が検知し、この検知に基づき、通信制御部１６はアンテナ４に対応するアプリケーションとして例えば、ＴＶアプリケーションを起動させる。この場合、図３Ｂに示すように、表示部１４の表示画面には、アプリケーション起動によるウィンドウ２２が展開される。
【００３０】
また、アンテナコネクタ部１８から図３Ａに示すように、アンテナ４が外されると、それを通信制御部１６が検知し、この検知に基づき、通信制御部１６は動作させていたアプリケーションを終了させる。
【００３１】
斯かる構成によれば、携帯装置２のパワーオン後に、携帯装置２にアンテナ４（ＴＶアンテナ) を装着すれば、これをトリガにしてＴＶアプリケーションを自動的に起動させることができ、また、アンテナ４を携帯装置２から取り外せば、起動中のＴＶアプリケーションを終了させ、ウィンドウ２２を自動的に閉じることができる。これにより着脱式アンテナであるアンテナ４の着脱だけで、装着アンテナに対応するアプリケーションの起動又は終了を行うことができ、格別なアプリケーション切替えの操作が不要であり、ユーザの負担を軽減でき、携帯装置２の利便性が高められる。
【００３２】
また、着脱式のアンテナ４を用いれば、通信時のみアンテナ４を装着し、未使用時には取り外すことが可能であるから、筐体２０内のスペースを圧迫することもなく、また、筐体２０外にアンテナ４を備え付けることにより、筐体２０のコンパクト化、デザイン設計の自由度等を向上させることができる。
【００３３】
〔第２の実施の形態〕
【００３４】
第２の実施の形態について、図４を参照する。図４は、第２の実施の形態に係る携帯装置及びアンテナを示す図である。図４に示す構成は一例であって、斯かる構成に本発明が限定されるものではない。図４において、図１と同一部分には同一符号を付してある。
【００３５】
この実施の形態の携帯装置２では、複数のアンテナとして例えば、２種類のアンテナ４１、４２をアンテナコネクタ部１８に選択して着脱させることにより、アンテナの種類に応じたアプリケーションとして例えば、異なる通信制御が選択される形態である。
【００３６】
この携帯装置２は、アンテナを着脱してアンテナの種類に応じたアプリケーションを起動させるコンピュータを内蔵した通信機器の一例であって、図４に示すように、制御部６、記憶部８、操作部１０、表示制御部１２、表示部１４、通信制御部１６、アンテナコネクタ部１８、通信切替部２４、アンテナ状態検出部２６を備えている。操作部１０、表示制御部１２、表示部１４及びアンテナコネクタ部１８は第１の実施の形態と同様の機能部である。
【００３７】
記憶部８は、ＯＳやアプリケーションプログラム、制御データ等を格納する記憶手段の一例であって、プログラム記憶部８１（図２）には、ＯＳ、アプリケーションプログラム、アンテナ４１、４２のアンテナ着脱制御サブルーティン等が格納され、データ記憶部８２（図２）には、アンテナ４１、４２に対応する通信制御部１６を表す通信制御データ、アンテナコネクタ部１８に対応するデータ等、各種データが格納されている。
【００３８】
通信制御部１６は、アンテナ４１又はアンテナ４２に対応した通信制御を行う通信制御手段の一例であって、この実施の形態では、異なるアプリケーションを起動するための手段として通信制御部１６１、１６２を備えている。アンテナ４１が装着されると、通信制御部１６１により、例えば、ＴＶアプリケーションが起動される。
【００３９】
アンテナコネクタ部１８は、アンテナ４１又はアンテナ４２等、複数のアンテナから選択されたアンテナを装着し、接続する装着手段である。
【００４０】
通信切替部２４は、アンテナコネクタ部１８に装着されたアンテナ４１又はアンテナ４２に対応する通信制御部１６１又は通信制御部１６２に接続する接続切替手段であって、例えば、スイッチ２４１、２４２で構成される。アンテナ４１又はアンテナ４２の装着に基づき、制御部６の制御出力により、通信制御部１６１又は通信制御部１６２が動作状態に切り替えられるとともに、通信切替部２４が切り替えられる。図４の例では、スイッチ２４１が閉じられ、アンテナ４１と通信制御部１６１とが接続されている。
【００４１】
アンテナ状態検出部２６は、接続されたアンテナ状態を検出する検出手段であって、具体的には、アンテナ４１又はアンテナ４２の装着の有無、装着されたアンテナ４１又はアンテナ４２の種類を判別する。このアンテナの種類は、アンテナ４１、４２の例えば、共振周波数や、アンテナ４１、４２のコネクタ部４０２の位置によって判断することができる。図４に示す携帯装置２では、アンテナ４１の装着をアンテナ状態検出部２６で検出し、この検出出力を受けた制御部６が通信制御部１６１を動作状態に制御し、アンテナ４１及び通信制御部１６１に対応するアプリケーションを起動する。アンテナ４２が装着された場合には通信制御部１６２を動作状態にし、アンテナ４２及び通信制御部１６２に対応するアプリケーションが起動する。
【００４２】
また、アンテナ４はアンテナエレメント部４０１、コネクタ部４０２を備えた着脱式のアンテナであって、アンテナエレメント部４０１は無線通信電波を送受信する例えば、ＴＶ受信用のエレメントであり、コネクタ部４０２は携帯装置２側のアンテナコネクタ部１８に着脱可能である。この場合、アンテナ４１は例えば、ＴＶ受信用アンテナ、アンテナ４２は例えば、ＩＰ通信用アンテナである。アンテナの着脱については、図３に示す通りであるので、その説明を省略する。
【００４３】
斯かる構成によれば、携帯装置２のパワーオン後に、携帯装置２にアンテナ４１（ＴＶアンテナ) を装着すれば、これをトリガにし、アンテナ種別の検出に基づきＴＶアプリケーションを自動的に起動させることができ、また、アンテナ４１を携帯装置２から取り外せば、起動中のＴＶアプリケーションを終了させ、ウィンドウ２２（図３Ｂ）を自動的に閉じることができる。また、アンテナ４２を装着すれば、これをトリガにし、アンテナ種別の検出に基づくアプリケーションを自動的に起動させることができ、また、アンテナ４２を携帯装置２から取り外せば、起動中のアプリケーションを終了させることができる。
【００４４】
着脱式アンテナであるアンテナ４１、４２の着脱交換だけで、装着アンテナに対応する通信制御部１６１又は通信制御部１６２をアクティブにでき、アプリケーションの起動又は終了を行うことができ、第２の実施の形態においても、格別なアプリケーション切替えの操作が不要であり、ユーザの負担を軽減でき、携帯装置２の利便性が高められる。
【００４５】
このような着脱式の複数のアンテナ４１、４２を用いれば、通信時のみアンテナ４１又はアンテナ４２を装着し、未使用時には取り外すことが可能であるから、筐体２０内のスペースを圧迫することもなく、第２の実施の形態においても、筐体２０外にアンテナ４１、４２を備え付けることにより、筐体２０のコンパクト化、デザイン設計の自由度等を向上させることができる。
【００４６】
次に、アンテナ４１、４２の種類判別について、図５及び図６を参照する。図５は、複数のアンテナを示す図、図６は、アンテナ装着に対応する動作を表す図である。図５及び図６に示す構成は一例であって、斯かる構成に本発明が限定されるものではない。図５及び図６において、図４と同一部分には同一符号を付してある。
【００４７】
アンテナ４１、４２には、その種類判別を機械的に行う構成として、図５Ａ及び図５Ｂに示すように、アンテナエレメント部４０１の下部にコネクタ部４０２が形成されており、アンテナ４１とアンテナ４２とはコネクタ部４０２の位置が異なっている。
【００４８】
携帯装置２のアンテナコネクタ部１８には、図６に示すように、アンテナ４１、４２のコネクタ部４０２に対応する位置に、アンテナ状態検出部２６のアンテナセンサ２６１、２６２が設置されている。アンテナセンサ２６１、２６２は、アンテナ４１、４２の着脱を検出するセンサ手段であるとともに、通信切替部２４にアンテナ４１又はアンテナ４２を接続する接続手段を構成する。
【００４９】
図６Ａに示すように、アンテナコネクタ部１８にアンテナ４１が装着されている場合、アンテナセンサ２６１にアンテナ４１のコネクタ部４０２が接触して通電し、アンテナ４１が判別される。また、図６Ｂに示すように、アンテナコネクタ部１８にアンテナ４２が装着されると、アンテナセンサ２６２にアンテナ４２のコネクタ部４０２が接触して通電し、アンテナ４２が判別される。
【００５０】
次に、アンテナ４１、４２の装着及びアプリケーションの起動について、図７及び図８を参照する。図７は、アンテナ装着に基づくアプリケーション起動の処理手順を示すフローチャート、図８は、アンテナ取外しに基づくアプリケーション動作終了の処理手順を示すフローチャートである。図７及び図８に示す構成は一例であって、斯かる構成に本発明が限定されるものではない。
【００５１】
この処理手順は、携帯装置の制御方法又は制御プログラムの一例であって、アンテナ４１の装着によりＴＶ受信、アンテナ４２の装着によりブラウザの起動を行う処理手順である。
【００５２】
電源を投入し、携帯装置２を起動状態にさせ、アンテナコネクタ部１８にアンテナ４１、４２の何れかを装着すると、図７に示すように、装着されたアンテナ４１又はアンテナ４２がアンテナ状態検出部２６に検出され（ステップＳ１１）、装着アンテナの種類がアンテナ状態検出部２６に判別され（ステップＳ１２）、この判別結果が制御部６に通知される。
【００５３】
制御部６は、アンテナ状態検出部２６の判別結果に基づき、通信切替部２４を切り替えるとともに、通信制御部１６１又は通信制御部１６２を動作状態に制御する。アンテナ４１が装着されていれば、アンテナ４１に対応するスイッチ２４１を閉状態、通信制御部１６１をアクティブ化及び対応するアプリケーションを起動し（ステップＳ１３）、アンテナ４２が装着されていれば、アンテナ４２に対応するスイッチ２４２を閉状態、通信制御部１６２をアクティブ化及び対応するアプリケーションを起動し（ステップＳ１４）、この処理を終了する。なお、携帯装置２に対応アプリケーションが存在すれば、それを起動させる。
【００５４】
この場合、アンテナ４１に対応してスイッチ２４１を閉状態にしている場合、スイッチ２４２を開状態とすれば、通信制御部１６２がアクティブ状態になっていてもよく、また、アンテナ４２に対応してスイッチ２４２を閉状態にしている場合、スイッチ２４１を開状態とすれば、通信制御部１６１がアクティブ状態になっていてもよい。
【００５５】
そして、制御部６では、アンテナ４１、４２に対応したアプリケーションが起動し、例えば、アンテナ４１がＴＶアンテナであれば、ＴＶアプリケーションを起動させ、また、アンテナ４２がＩＰ通信用アンテナであれば、ブラウザを起動させる。
【００５６】
また、アンテナコネクタ部１８からアンテナ４１、４２が取り外されると、アプリケーション動作終了のための処理手順（図８）が実行される。この処理手順も携帯装置の制御方法又は制御プログラムの一例であって、アンテナ４１の取外しによりＴＶ受信の起動停止、アンテナ４２の取外しによりブラウザの起動停止を行う処理手順である。
【００５７】
アンテナコネクタ部１８から装着中のアンテナ４１又は４２が取り外されると、その取外しがアンテナ状態検出部２６に検出され（ステップＳ２１）、その検出結果が制御部６に通知される。これに基づき、装着されていたアンテナ４１又は４２に対応する通信制御部１６１又は１６２の非アクティブ化が実行される（ステップＳ２２）。
【００５８】
この場合、装着中のアンテナに対応するアプリケーションが起動中か否かの判定が行われ（ステップＳ２３）、アプリケーションが起動中でなければ（ステップＳ２３のＮＯ）、この処理を終了し、また、対応アプリケーションが起動中であれば（ステップＳ２３のＹＥＳ）、そのアプリケーションを終了させ（ステップＳ２４）、この処理を終了する。
【００５９】
このような処理によれば、アンテナ４１又は４２の装着に基づき、対応するアプリケーションを自動的に起動させることができ、装着中のアンテナ４１又は４２を取り外せば、起動中であったアプリケーションを自動終了させ、これに伴い、表示部１４上のウィンドウ２２等を閉じることができる。これらの処理は、アンテナの着脱のみで行え、格別な操作は不要である。
【００６０】
この実施の形態について、利点や効果を列挙すれば次の通りである。
【００６１】
(1) 着脱可能なアンテナ４を携帯装置２に装着すれば、それを契機にそのアンテナに対応するアプリケーションを起動させ、そのアンテナを取り外せば、起動中のアプリケーションを終了させることができる。既述した通り、ＴＶアンテナを装着すれば、ＴＶアプリケーションを起動し、ＴＶアンテナを取り外せば、そのＴＶアプリケーションは終了させることができる。
【００６２】
(2) アンテナの着脱だけで対応アプリケーションの起動、アンテナの取外しで対応アプリケーションの終了ができるので、ユーザのアプリケーションの起動・終了のための操作は不要であり、ユーザの負担が軽減される。この場合、着脱可能なアンテナは複数種類あってもよく、その着脱によって起動・終了するアプリケーションはアンテナに対応したアプリケーションである。
【００６３】
〔第３の実施の形態〕
【００６４】
次に、第３の実施の形態について、図９及び図１０を参照する。図９は、アンテナ装置を示す図、図１０は、携帯装置を示す図である。図９及び図１０に示す構成は一例であって、斯かる構成に本発明が限定されるものではない。図１０において、図１と同一部分には同一符号を付してある。
【００６５】
この第３の実施の形態は、複数種類のアンテナを内蔵させた１つのアンテナ装置４０を用いてアンテナ切替えを行うことにより、携帯装置２に複数のアプリケーションから選択されるアプリケーションを起動させる構成としたものである。
【００６６】
アンテナ装置４０は、図９に示すように、アンテナ部４１０とコネクタ部４２０とを備え、アンテナ部４１０には、複数のアンテナとしてアンテナＡ４１１、Ｂ４１２、Ｃ４１３が備えられ、コネクタ部４２０には、アンテナＡ４１１のアンテナ端子Ａ４２１、アンテナＢ４１２のアンテナ端子Ｂ４２２、アンテナＣ４１３のアンテナ端子Ｃ４２３が設置されるとともに、接続選択端子として端子Ｄ４２４が設置されている。アンテナＡ４１１、Ｂ４１２、Ｃ４１３はそれぞれ共振周波数の異なるアンテナであって、アンテナ端子Ａ４２１、Ｂ４２２、Ｃ４２３は個別のアンテナ接続手段である。端子Ｄ４２４は、アンテナ装置４０のアンテナＡ４１１、Ｂ４１２、Ｃ４１３と携帯装置２等の機器側の接続関係を切り替える等、携帯装置２に対して接続されるアンテナＡ４１１、Ｂ４１２、Ｃ４１３の何れかを選択するための手段である。
【００６７】
アンテナＡ４１１、Ｂ４１２、Ｃ４１３はジョイント２５により束ねられ、アンテナ装置４０の外観は例えば、単一の棒状に構成されている。
【００６８】
また、携帯装置２は、複数の送信周波数又は受信周波数に対応し、アンテナ着脱やアンテナ切替えに対応したアプリケーションを起動させるコンピュータを内蔵した通信機器の一例であって、図１０に示すように、制御部６、記憶部８、操作部１０、表示制御部１２、表示部１４、通信制御部１６、アンテナコネクタ部１８、通信切替部２４、アンテナ状態検出部２６、ＷＡＮ（Wide Area Network ）内蔵アンテナ２８を備えている。
【００６９】
通信制御部１６は、Ｗｉｍａｘ通信制御部１６３、無線ＬＡＮ通信制御部１６４、ＴＶ通信制御部１６５、ＷＡＮ通信制御部１６６を備えている。Ｗｉｍａｘ通信制御部１６３は、アンテナＡ４１１を用いてＷｉｍａｘ通信を実現し、無線ＬＡＮ通信制御部１６４は、アンテナＢ４１２を用いて無線ＬＡＮ通信を実現し、ＴＶ通信制御部１６５は、アンテナＣ４１３を用いてＴＶ受信を実現し、また、ＷＡＮ通信制御部１６６は、ＷＡＮ内蔵アンテナ２８を用いてＷＡＮ通信を実現する。この実施の形態では、Ｗｉｍａｘ通信、無線ＬＡＮ通信、ＴＶ通信を例示しているが、これら以外の無線通信又は受信機能を備えてもよく、例えば、ラジオ等その他の無線通信のアンテナ、通信制御部を搭載しても良い。
【００７０】
アンテナコネクタ部１８は、アンテナ装置４０のコネクタ部４２０が装着され、携帯装置２とアンテナ端子Ａ４２１、Ｂ４２２、Ｃ４２３を接続する手段であって、アンテナ数（アンテナ端子数）に対応する複数のアンテナコネクタを備えている。このアンテナコネクタ部１８と通信制御部１６との間には通信切替部２４が設置されており、アンテナコネクタ部１８とＷｉｍａｘ通信制御部１６３との間にはスイッチ（ＳＷ）Ａ２４３、アンテナコネクタ部１８と無線ＬＡＮ通信制御部１６４との間にはスイッチ（ＳＷ）Ｂ２４４、アンテナコネクタ部１８とＴＶ通信制御部１６５との間にはスイッチ（ＳＷ）Ｃ２４５が接続されている。スイッチＡ２４３、Ｂ２４４、Ｃ２４５は、アンテナコネクタ部１８とコネクタ部４２０の端子Ｄ４２４によって開閉され、アンテナＡ４１１とＷｉｍａｘ通信制御部１６３との接続、アンテナＢ４１２と無線ＬＡＮ通信制御部１６４との接続、又はアンテナＣ４１３とＴＶ通信制御部１６５との接続が選択され、必要なアンテナが装備されることになる。
【００７１】
制御部６は、携帯装置２のシステム全体を制御する手段であって、例えば、ＣＰＵで構成され、記憶部８にあるＯＳやアプリケーションプログラムを実行し、アンテナ選択に対応して通信制御を行う。アンテナ選択に対応する通信制御では、アンテナＡ４１１、Ｂ４１２、Ｃ４１３が接続位置でアクティブ化として、通信切替部２４のスイッチＡ２４３、Ｂ２４４、Ｃ２４５を切り替え、アクティブ化されたアンテナＡ４１１、Ｂ４１２、Ｃ４１３に対応し、Ｗｉｍａｘ通信制御部１６３、無線ＬＡＮ通信制御部１６４又はＴＶ通信制御部１６５を動作状態に制御する。
【００７２】
通信切替部２４のスイッチＡ２４３、Ｂ２４４、Ｃ２４５は、アンテナＡ４１１、Ｂ４１２、Ｃ４１３の接続位置（アクティブ化位置）に対応して閉状態に切り替えられ、非接続位置（非アクティブ化位置）に対応して開状態に切り替えられる。例えば、ＴＶアンテナであるアンテナＣ４１３がアクティブな場合にはスイッチＣ２４５のみが閉状態となり、ＴＶ通信制御部１６５のみが動作状態となる。
【００７３】
この実施の形態では、携帯装置２のＷＡＮ通信を常時アクティブ化しており、そのため、ＷＡＮ内蔵アンテナ２８は常にアクティブ化され、電源を遮断しない限り又は動作を停止させない限りＷＡＮ通信制御部１６６は動作状態にある。
【００７４】
アンテナ状態検出部２６は複数のアンテナＡ４１１、Ｂ４１２、Ｃ４１３の状態を検出する手段であって、端子Ｄ４２４によってアンテナＡ４１１、Ｂ４１２、Ｃ４１３の位置を検出し、この検出出力に基づき、制御部６が通信切替部２４のスイッチＡ２４３、Ｂ２４４、Ｃ２４５を切り替える。
【００７５】
記憶部８はＯＳ、アプリケーションプログラム、アンテナアクティブ化サブルーティン等を格納する手段であって、記録媒体によって構成される。この記憶部８には、図２に示すように、プログラム記憶部８１、データ記憶部８２が設定され、プログラム記憶部８１にはＯＳ、アプリケーションプログラム、アンテナアクティブ化サブルーティン等が格納され、また、データ記憶部８２には、アンテナ状態検出部２６で検出されたアンテナ状態を表す状態データ等が格納される等、第１の実施の形態（図２）と同様である。
【００７６】
操作部１０は外部から文字や記号等の情報を入力する手段であって、例えば、キーボードで構成され、表示部１４の表示面に設置したタッチセンサで構成してもよい。
【００７７】
表示制御部１２は、この表示部１４の制御手段であって、制御部６の表示データを表示部１４に表示させる。表示部１４は、情報提示手段の一例であって、例えば、ＬＣＤ素子で構成される。
【００７８】
次に、アンテナ装置４０の接続について、図１１及び図１２を参照する。図１１は、携帯装置及びアンテナ装置を示す図、図１２は、アンテナ及びアンテナコネクタ部を示す図である。図１１及び図１２に示す構成は一例であって、斯かる構成に本発明が限定されるものではない。図１１及び図１２において、図９又は図１０と同一部分には同一符号を付してある。
【００７９】
携帯装置２の筐体２０には、図１１Ａに示すように、表示部１４が設置されているとともに、この表示部１４の下側には操作部１０が設置されている。この携帯装置２の筐体２０の頂部にあるアンテナコネクタ部１８にアンテナ装置４０が装着され、図１１Ｂに示すように、アンテナコネクタ部１８にはアンテナ装置４０が着脱される。
【００８０】
アンテナ装置４０は、複数のアンテナＡ４１１、Ｂ４１２、Ｃ４１３（図９）を備えており、この実施の形態では、図１２Ａに示すように、アンテナ筐体部である正三角筒状のジョイント２５によって束ねられている。このアンテナ装置４０の底面部には、アンテナＡ４１１のアンテナ端子Ａ４２１、アンテナＢ４１２のアンテナ端子Ｂ４２２、アンテナＣ４１３のアンテナ端子Ｃ４２３が突出し、アンテナ端子Ａ４２１の近傍には、接続選択端子として端子Ｄ４２４が突出している。この場合、アンテナ端子Ａ４２１、Ｂ４２２、Ｃ４２３は例えば、径大で長い棒状であり、端子Ｄ４２４は、アンテナ端子Ａ４２１、Ｂ４２２、Ｃ４２３に比較して径小で短い棒状である。
【００８１】
各アンテナ端子Ａ４２１、Ｂ４２２、Ｃ４２３は、アンテナコネクタ部１８（図１１Ｂ）側のアンテナコネクタの規則性のある配列パターンと同一の配列パターンとして例えば、正多角形の頂点配列である。また、アンテナ装置４０のジョイント２５の角部にはアンテナ配置を表す識別部３４が形成され、識別部３４によってアンテナＡ４１１の位置が識別される。
【００８２】
アンテナコネクタ部１８には、図１２Ｂに示すように、各アンテナ端子Ａ４２１、Ｂ４２２、Ｃ４２３を挿入するアンテナコネクタ１８１と２つのダミーコネクタ１８２、１８３が形成されているとともに、端子Ｄ４２４を挿入するアンテナ選択コネクタ１８４、１８５、１８６が形成されている。アンテナ選択コネクタ１８４、１８５、１８６の配列パターンはアンテナ端子Ａ４２１、Ｂ４２２、Ｃ４２３と同様である。２つのダミーコネクタ１８２、１８３に対し、アンテナコネクタ１８１は、接続位置であるアクティブアンテナコネクタを構成している。
【００８３】
アンテナ装置４０の各アンテナ端子Ａ４２１、Ｂ４２２、Ｃ４２３と、アンテナコネクタ部１８のアンテナコネクタ１８１、１８２、１８３との接続、アンテナ選択コネクタ１８４、１８５、１８６に端子Ｄ４２４の装着によるアンテナＡ４１１、Ｂ４１２、Ｃ４１３の接続形態及びアクティブ化制御は次の通りである。
【００８４】
ａ）アンテナコネクタ１８１にアンテナ端子Ａ４２１が接続された場合：
【００８５】
端子Ｄ４２４がアンテナ選択コネクタ１８４に接続され、アンテナＡ４１１のアクティブ化が決定される。このとき、スイッチＡ２４３（図１０）が閉じられ、制御部６によってＷｉｍａｘ通信制御部１６３が動作状態に制御される。スイッチＢ２４４、Ｃ２４５は開かれ、無線ＬＡＮ通信制御部１６４及びＴＶ通信制御部１６５は動作を停止する。
【００８６】
ｂ）アンテナコネクタ１８１にアンテナ端子Ｂ４２２が接続された場合：
【００８７】
端子Ｄ４２４がアンテナ選択コネクタ１８５に接続され、アンテナＢ４１２のアクティブ化が決定される。このとき、スイッチＢ２４４が閉じられ、制御部６によって無線ＬＡＮ通信制御部１６４が動作状態に制御される。スイッチＡ２４３、Ｃ２４５は開かれ、Ｗｉｍａｘ通信制御部１６３及びＴＶ通信制御部１６５は動作を停止する。
【００８８】
ｃ）アンテナコネクタ１８１にアンテナ端子Ｃ４２３が接続された場合：
【００８９】
端子Ｄ４２４がアンテナ選択コネクタ１８６に接続され、アンテナＣ４１３のアクティブ化が決定される。このとき、スイッチＣ２４５が閉じられ、制御部６によってＴＶ通信制御部１６５が動作状態に制御される。スイッチＡ２４３、Ｂ２４４は開かれ、Ｗｉｍａｘ通信制御部１６３及び無線ＬＡＮ通信制御部１６４の動作を停止する。
【００９０】
このような動作の制御は制御部６によって実行され、アンテナ選択コネクタ１８４、１８５、１８６に対する端子Ｄ４２４の装着により、アンテナＡ４１１、Ｂ４１２、Ｃ４１３の接続位置が判定され、その判定結果によりスイッチＡ２４３、Ｂ２４４、Ｃ２４５を選択して閉状態又は開状態に切り替える。
【００９１】
アンテナＡ４１１、Ｂ４１２、Ｃ４１３の接続選択について、図１３及び図１４を参照する。図１３及び図１４は、アンテナの接続選択部の構成を示す図である。図１３及び図１４に示す構成は一例であって、斯かる構成に本発明が限定されるものではない。図１３及び図１４において、図９又は図１０と同一部分には同一符号を付してある。
【００９２】
図１３Ａに示すように、筐体２０に形成されたアンテナコネクタ部１８に、端子Ｄ４２４を挿入可能なアンテナ選択コネクタ１８４、１８５、１８６が設置されている。このアンテナ選択コネクタ１８４、１８５、１８６に軸３６を中心にして回転して開閉される蓋部３８を備える。この蓋部３８を導体で構成し、この蓋部３８と、この蓋部３８が接触して開閉する接点６０を設置すれば、蓋部３８及び接点６０によってスイッチ６２が形成される。
【００９３】
斯かる構成では、図１３Ｂに示すように、端子Ｄ４２４がアンテナ選択コネクタ１８４、１８５、１８６に挿入され、蓋部３８が接点６０に接触すると、スイッチ６２が導通する。これによって、端子Ｄ４２４がアンテナ選択コネクタ１８４、１８５、１８６の何れかに挿入され、スイッチ６２の導通によってアンテナＡ４１１、Ｂ４１２、Ｃ４１３の何れかが接続位置にあることが検知される。
【００９４】
また、図１４Ａに示すように、筐体２０の内部に、端子Ｄ４２４に対応して接点４４、４６を設置し、端子Ｄ４２４を導体で構成し、接点４４、４６と端子Ｄ４２４とでスイッチ４８を構成してもよい。図１４Ｂに示すように、端子Ｄ４２４がアンテナ選択コネクタ１８４、１８５又は１８６に挿入されて接点４４、４６に接触すると、スイッチ４８が導通するので、スイッチ４８の導通によってアンテナＡ４１１、Ｂ４１２又はＣ４１３が接続位置にあることが検知される。
【００９５】
また、アンテナ装置４０には、識別部３４（図１２Ａ）が設けられているので、アンテナ装置４０の回転位置をこの識別部３４によって知ることができ、また、アクティブ位置を表す識別部５０（図１２Ｂ）が設けられているので、この識別部５０の位置でアンテナＡ４１１、Ｂ４１２、Ｃ４１３が選択され、アンテナコネクタ１８１に接続されたアンテナがアクティブ化される。識別部３４、５０はアンテナの種類を示し、それを識別できる形態であればどのような形態でもよく、例えば、刻印や突起等であってもよい。
【００９６】
アンテナ着脱及び切替えについて、図１５及び図１６を参照する。図１５は、アンテナ装着及び通信の処理手順を示すフローチャート、図１６は、アンテナの取外しの処理手順を示すフローチャートである。図１５及び図１６に示す構成は一例であって、斯かる構成に本発明が限定されるものではない。
【００９７】
アンテナ装着及び通信の処理手順は、その処理方法又はその処理プログラムの一例であって、アンテナ装着時には、図１５に示すように、携帯装置２のアンテナコネクタ部１８にアンテナ装置４０を装着すると、アンテナコネクタ部１８に対するアンテナ端子Ａ４２１、Ｂ４２２、Ｃ４２３の挿入、アンテナ選択コネクタ１８４、１８５、１８６に対する端子Ｄ４２４の挿入が検出され（ステップＳ３１）、アンテナ端子Ａ４２１、Ｂ４２２又はＣ４２３の何れがアンテナコネクタ１８１に挿入されたか、端子Ｄ４２４が挿入されたアンテナ選択コネクタ１８４、１８５又は１８６の位置から、アンテナの種別即ち、アンテナＡ４１１、Ｂ４１２又はＣ４１３が判別される（ステップＳ３２）。これらの処理はアンテナ状態検出部２６の状態検出出力により制御部６によって判断される。
【００９８】
アンテナコネクタ１８１に接続されたアンテナＡ４１１、Ｂ４１２又はＣ４１３が判明すると、アンテナ状態検出部２６から接続されているアンテナがアンテナＡ４１１、Ｂ４１２又はＣ４１３であることを制御部６に通知し、制御部６では、接続されているアンテナＡ４１１、Ｂ４１２又はＣ４１３に対応し、スイッチＡ２４３、Ｂ２４４又はＣ２４５を導通させ、Ｗｉｍａｘ通信制御部１６３、無線ＬＡＮ通信制御部１６４又はＴＶ通信制御部１６５を動作（アクティブ化）させる（ステップＳ３３）。この結果、挿入されたアンテナＡ４１１、Ｂ４１２又はＣ４１３を用いて、Ｗｉｍａｘ通信制御部１６３、無線ＬＡＮ通信制御部１６４又はＴＶ通信制御部１６５での通信が可能となるとともに、対応するアプリケーションが起動する（ステップＳ３４）。ＴＶ通信制御部１６５がアクティブ化されていれば、ＴＶ受信及びそのアプリケーションが起動される。
【００９９】
また、アンテナの取外しの処理手順は、その処理方法又はその処理プログラムの一例であって、図１６に示すように、アンテナコネクタ部１８からアンテナ装置４０が外されると、その状態がアンテナ状態検出部２６によって検出され（ステップＳ４１）、その検出出力が制御部６に通知される。この結果、制御部６から通信切替部２４のスイッチＡ２４３、Ｂ２４４又はＣ２４５が閉状態から開状態に切り替えられ、アクティブ化されていたＷｉｍａｘ通信制御部１６３、無線ＬＡＮ通信制御部１６４又はＴＶ通信制御部１６５は非アクティブ化し（ステップＳ４２）、対応アプリケーションを終了し（ステップＳ４３）、この通信処理を終了する。この実施の形態では、対応アプリケーションを終了しているが、この対応アプリケーションの終了処理は必須ではなく、継続してもよい。
【０１００】
以上述べた実施の形態について、効果や利点を列挙すれば、次の通りである。
【０１０１】
(1) 複数のアンテナを持つアンテナ装置４０を携帯装置２に装着し、そのアンテナ装置４０を挿入又は回転させてアンテナを選択すれば、そのアンテナに対応したアプリケーションを携帯装置２で起動することができ、ＴＶアンテナを選択すれば、ＴＶアプリケーションを起動させることができる。この場合、アンテナの装着方法をジョイントで回転させれば、アクティブにすべきアンテナに切り替えることができ、所望の通信制御部を動作状態に切り替えることができるとともに、アプリケーションを起動させることができる。
【０１０２】
(2) 携帯装置の通信機能の多様化に伴い、ＷＡＮや無線ＬＡＮ、ＧＰＳ、ＴＶ等の各種機能を搭載した場合、筐体内の内蔵アンテナでは十分な利得が得られない場合があるが、上記実施の形態では、外部アンテナとして構成されるので、通信品質を高めることができ、また、内蔵アンテナでは筐体内のスペースがアンテナに奪われるため、携帯装置の小型化を妨げるという課題は外部アンテナとして構成された上記実施の形態において解決されている。また、上記アンテナ装置によれば、携帯装置等の通信機器のコンパクト化にも寄与することができる。
【０１０３】
(3) 筐体外部に取り外し可能、切り替え可能なジョイント状の複数のアンテナを付け、切り替えることにより複数のアンテナを単独で使用することができる。複数のアンテナが１つのジョイントに束ねられており、そのジョイントからアンテナ端子が突出しているので、そのアンテナ端子を携帯装置に装着し、接続位置によって選択されるアンテナが有効となり、使いたいアンテナをアクティブコネクタに装着するだけで、所望の通信が可能となる。
【０１０４】
(4) 携帯装置等の通信機器には、アンテナ数（アンテナ端子数）に対応するアンテナコネクタと、アンテナ選択のための端子とが設置され、アンテナ及びアンテナ選択のための手段が極めて簡単な構成である。
【０１０５】
(5) アンテナ装置の各アンテナはアンテナコネクタに対する装着のみで所望のアンテナを選択し、切り替えることができる。
【０１０６】
〔第４の実施の形態〕
【０１０７】
第４の実施の形態について、図１７及び図１８を参照する。図１７は、アンテナ装置を装着した携帯装置を示す図、図１８は、携帯装置のアンテナコネクタ部及びアンテナ装置を示す図である。図１７及び図１８に示す構成は一例であって、斯かる構成に本発明が限定されるものではない。図１７及び図１８において、図１１及び図１２と同一部分には同一符号を付してある。
【０１０８】
第３の実施の形態では、アンテナ装置４０を携帯装置２に着脱してアンテナ切替えを行える構成としたが、第４の実施の形態では、図１７に示すように、携帯装置２に装着されたアンテナ装置４０を回転させてアンテナ切替えが行える構成としたものである。
【０１０９】
このような構成では、図１８Ａに示すように、携帯装置２のアンテナコネクタ部１８の各アンテナコネクタ１８１、１８２、１８３間にアンテナ端子Ａ４２１、Ｂ４２２、Ｃ４２３を移動させる通路として円弧状の溝５２が形成され、また、各アンテナ選択コネクタ１８４、１８５、１８６間にも端子Ｄ４２４を移動させる通路として円弧状の溝５４が形成されている。
【０１１０】
これに対応するアンテナ装置４０には、図１８Ｂに示すように、アンテナ端子Ａ４２１、Ｂ４２２、Ｃ４２３が形成されているとともに、端子Ｄ４２４が形成されている。アンテナ装置４０のジョイント２５には識別部３４が形成されている。この実施の形態ではジョイント２５が円筒状に形成されている。
【０１１１】
このような構成によれば、アンテナ装置４０を装着状態で回転させてアンテナＡ４１１、Ｂ４１２、Ｃ４１３が選択することができ、アンテナコネクタ１８１に接続されたアンテナ端子Ａ４２１、Ｂ４２２、Ｃ４２３の何れかが接続されると、端子Ｄ４２４の位置から、アクティブなアンテナの種類が判断され、Ｗｉｍａｘ通信制御部１６３、無線ＬＡＮ通信制御部１６４又はＴＶ通信制御部１６５を動作状態に切り替え、通信を行うことができるとともに、対応するアプリケーションを起動させることができる。
【０１１２】
このような構成によれば、アンテナ切替え時に抜き差しの必要がなく、ユーザの負担を軽減できる。また、アンテナ装置４０の向きは識別部３４の位置によりその接続位置を容易に判断できる。
【０１１３】
〔第５の実施の形態〕
【０１１４】
第５の実施の形態について、図１９を参照する。図１９は、携帯装置に付属させたアンテナ装置を示す図である。図１９に示す構成は一例であって、斯かる構成に本発明が限定されるものではない。図１９において、図１１と同一部分には同一符号を付してある。
【０１１５】
携帯装置２にアンテナ装置４０を常備するには、図１９に示すように、携帯装置２に取り付けられたストラップ５６を用いてアンテナ装置４０に括り付けて付属させればよい。斯かる構成とすれば、アンテナ装置４０の紛失を防止でき、アンテナ装置４０を即座に携帯装置２に装着させることができる。
【０１１６】
〔他の実施の形態〕
【０１１７】
(1) 上記第２の実施の形態では、図４に示すように、通信切替部２４を設置し、スイッチ２４１、２４２で構成するとともに、アンテナ状態検出部２６を設置したが、図２０に示すように、アンテナコネクタ部１８に通信切替部２４を接続し、この通信切替部２４にアンテナ状態切替機能を持たせてアンテナ状態検出部２６（図４）を省略し、通信切替部２４で得られた検出出力を制御部６に取り込むとともに、通信制御部１６の前段に設置したスイッチ回路５８のスイッチ５８１、５８２をアンテナ４１、４２の着脱に応じて切り替え、対応するアプリケーションを起動させる構成としてもよい。斯かる構成としても、上記実施の形態と同様の効果が得られる。
【０１１８】
(2) 上記第２の実施の形態では、図６Ａ、図６Ｂに示すように、アンテナ状態検出部２６としてアンテナセンサ２６１、２６２を設置し、通信切替部２４のスイッチ２４１、２４２を介して通信制御部１６１、１６２にアンテナ４１、４２を接続する構成としたが、図２１に示すように、アンテナセンサ２６１、２６２をコネクタで構成し、スイッチ２４１、２４２を省略する構成としてもよい。
【０１１９】
(3) 上記実施の形態では、通信機器として携帯装置２を例示したが、携帯情報端末機（ＰＤＡ：Personal Digital Assistant）や通信機能を備えたパーソナルコンピュータや通信機器であってもよく、本発明は、携帯電話機や端末装置に限定されるものではない。
【０１２０】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１２１】
（付記１）  アンテナを着脱させるアンテナコネクタと、
前記アンテナコネクタに対するアンテナの着脱を検出する検出手段と、
前記検出手段がアンテナの装着を検出したことを契機にアプリケーションを動作させる制御手段と、
を備えることを特徴とする通信機器。
【０１２２】
（付記２）  付記１の通信機器において、
前記検出手段は、前記アンテナコネクタに装着されたアンテナの種類を検出し、前記制御手段は、前記検出手段が検出したアンテナに応じたアプリケーションを動作させることを特徴とする通信機器。
【０１２３】
（付記３）  付記１又は２の通信機器において、
前記制御手段は、アンテナ装着を契機にそのアンテナに対応するアプリケーションを起動させ、装着しているアンテナを外すと、そのアンテナに対応する起動中のアプリケーションが停止することを特徴とする通信機器。
【０１２４】
（付記４）  付記１ないし３の何れか１項に記載の通信機器において、
前記アンテナに対応する通信制御を行う通信制御手段を備えることを特徴とする通信機器。
【０１２５】
（付記５）  付記１ないし４の何れか１項に記載の通信機器において、
送信周波数又は受信周波数の異なる複数のアンテナを備え、これらのアンテナから選択されるアンテナが前記アンテナコネクタに装着可能なことを特徴とする通信機器。
【０１２６】
（付記６）  通信機器で実行される制御方法であって、
前記通信機器が有するアンテナコネクタに対するアンテナの着脱を検出するステップと、
前記アンテナコネクタにアンテナが装着されている場合、アプリケーションを動作させるステップと、
を含むことを特徴とする、通信機器の制御方法。
【０１２７】
（付記７）  付記６の通信機器の制御方法において、
前記アンテナコネクタに装着されているアンテナの種類を検出するステップと、
前記アンテナコネクタに装着されているアンテナに対応するアプリケーションを動作させるステップと、
を含むことを特徴とする、通信機器の制御方法。
【０１２８】
（付記８）  付記６又は７の通信機器の制御方法において、
アンテナ装着を契機にそのアンテナに対応するアプリケーションを起動させ、装着しているアンテナを外すと、そのアンテナに対応する起動中のアプリケーションを停止させるステップを含むことを特徴とする、通信機器の制御方法。
【０１２９】
（付記９）  コンピュータで実行される、通信機器の制御プログラムであって、
前記通信機器が有するアンテナコネクタに対するアンテナの着脱を検出するステップと、
前記アンテナコネクタにアンテナが装着されている場合、装着情報を取り込むことにより、アプリケーションを動作させるステップと、
を前記コンピュータに実行させるための通信機器の制御プログラム。
【０１３０】
（付記１０）  付記９の通信機器の制御プログラムにおいて、
前記アンテナコネクタに装着されているアンテナの種類を検出するステップと、
前記アンテナコネクタに装着されているアンテナに対応するアプリケーションを動作させるステップと、
を前記コンピュータに実行させるための通信機器の制御プログラム。
【０１３１】
（付記１１）  付記９又は１０の通信機器の制御プログラムにおいて、
アンテナ装着を契機にそのアンテナに対応するアプリケーションを起動させ、装着しているアンテナが外されたことを検出すると、そのアンテナに対応する起動中のアプリケーションを停止するステップを前記コンピュータに実行させるための通信機器の制御プログラム。
【０１３２】
（付記１２）  付記１ないし１１の何れか１項において、
前記通信機器が携帯装置であることを特徴とする。
【０１３３】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１３４】
本発明は、複数のアンテナを必要とする通信機器、その制御方法及び制御プログラムに関し、アンテナの着脱に応じてそのアンテナに対応するアプリケーションを動作させることができ、アプリケーションの切替え操作が不要であり、携帯装置等の通信機器の利便性が高められ、有用である。
【図面の簡単な説明】
【０１３５】
【図１】第１の実施の形態に係る携帯装置及びアンテナを示す図である。
【図２】記憶部の構成を示す図である。
【図３】アンテナが着脱される携帯装置を示す図である。
【図４】第２の実施の形態に係る携帯装置及びアンテナを示す図である。
【図５】複数のアンテナを示す図である。
【図６】アンテナ装着に対応する動作を表す図である。
【図７】アプリケーション起動の処理手順を示すフローチャートである。
【図８】アプリケーション動作終了の処理手順を示すフローチャートである。
【図９】第３の実施の形態に係るアンテナ装置を示す図である。
【図１０】携帯装置を示す図である。
【図１１】携帯装置及びアンテナ装置を示す図である。
【図１２】アンテナ及びアンテナコネクタ部を示す図である。
【図１３】アンテナの接続選択部の構成を示す図である。
【図１４】アンテナの接続選択部の構成を示す図である。
【図１５】アンテナ装着及び通信の処理手順を示すフローチャートである。
【図１６】アンテナの取外しの処理手順を示すフローチャートである。
【図１７】第４の実施の形態に係るアンテナ装置を装着した携帯装置を示す図である。
【図１８】携帯装置のアンテナコネクタ部及びアンテナ装置を示す図である。
【図１９】第５の実施の形態に係る携帯装置に付属させたアンテナ装置を示す図である。
【図２０】他の実施の形態に係る携帯装置を示す図である。
【図２１】アンテナの着脱切替えを示す図である。
【符号の説明】
【０１３６】
２  携帯装置
４  アンテナ
６  制御部
８  記憶部
１０  操作部
１２  表示制御部
１４  表示部
１６  通信制御部
１８  アンテナコネクタ部
２０  筐体
２２  ウィンドウ
２４  通信切替部
２５  ジョイント
２６  アンテナ状態検出部
２６１、２６２  アンテナセンサ
４０  アンテナ装置
４１０  アンテナ部
４１１、４１２、４１３  アンテナ
４２０  コネクタ部
４２１、４２２、４２３  アンテナ端子
４２４  端子
【図１】
2009246470.tif 000003
【図２】
2009246470.tif 000004
【図３】
2009246470.tif 000005
【図４】
2009246470.tif 000006
【図５】
2009246470.tif 000007
【図６】
2009246470.tif 000008
【図７】
2009246470.tif 000009
【図８】
2009246470.tif 000010
【図９】
2009246470.tif 000011
【図１０】
2009246470.tif 000012
【図１１】
2009246470.tif 000013
【図１２】
2009246470.tif 000014
【図１３】
2009246470.tif 000015
【図１４】
2009246470.tif 000016
【図１５】
2009246470.tif 000017
【図１６】
2009246470.tif 000018
【図１７】
2009246470.tif 000019
【図１８】
2009246470.tif 000020
【図１９】
2009246470.tif 000021
【図２０】
2009246470.tif 000022
【図２１】
2009246470.tif 000023